(57)【要約】  【課題】  安価に製造することが可能であると共に、装飾体に立体的な動きを伴わせることによって、視覚的効果を高めることができるギフト券収容箱を提供する。  【解決手段】  ギフト券収容箱１０は、紙製であって、外蓋部１と、中蓋部２と、ギフト券収容部３とが一体的に形成されている。また、外蓋部１と中蓋部２との間を架け渡すように、立体装飾部４が形成されており、立体装飾部４は、折り曲げ片４ａと、折り曲げ片４ａに固定される装飾体４ｅとから構成され、折り曲げ片４ａと装飾体４ｅは、外蓋１ａの開閉の動きに連動して動く構造となっている。【選択図】図２
0003201685.tif 000002
【実用新案登録請求の範囲】
【請求項１】
外蓋部と、中蓋部と、ギフト券収容部とが一体的に形成された紙製のギフト券収容箱において、
前記外蓋部と前記中蓋部との間を架け渡すように、立体装飾部が形成されており、
該立体装飾部は、折り曲げ片と、該折り曲げ片に固定される装飾体とから構成され、前記折り曲げ片と前記装飾体は、前記外蓋の開閉の動きに連動して動くことを特徴とするギフト券収容箱。
【請求項２】
外蓋は表面と裏面とが張り合わされて形成され、前記外蓋の裏面の縁辺を折り曲げ可能としつつ、該縁辺から中蓋が連続して一体的に形成されている構造であって、前記外蓋の裏面から前記中蓋にわたって、所定の間隔をあけて少なくとも２本の切り込みが形成されており、該２本の切り込みの両端部と中間部とが幅方向に折り曲げられることによって、立体装飾部の折り曲げ片となっていることを特徴とする請求項１に記載のギフト券収容箱。
【請求項３】
立体装飾部の折り曲げ片は、２本の切り込みの両端部が幅方向に折り曲げられることによって形成される折り曲げ線が、縁辺に対して平行でない線となるように折り曲げられていることを特徴とする請求項２に記載のギフト券収容箱。
【請求項４】
立体装飾部は、複数の折り曲げ片と、複数の装飾体とを有することを特徴とする請求項１〜３のいずれか１項に記載のギフト券収容箱。
【請求項５】
立体装飾部を構成する装飾体は、送り主からのメッセージが記載可能なメッセージボードを兼ねていることを特徴とする請求項１〜４のいずれか１項に記載のギフト券収容箱。
【請求項６】
ギフト券収容部は、底面と、該底面の端縁から立設された４個の側面とを有し、前記底面の上部に、ギフト券収容箱の前方側面側が低く、後方側面側が高くなる傾斜面を有する傾斜底面部が形成されており、該傾斜底面部にギフト券が載置されることを特徴とする請求項１〜５のいずれか１項に記載のギフト券収容箱。
【考案の詳細な説明】
【技術分野】
【０００１】
本考案は、デパート等の商品券やビール券、図書券、米券等のギフト券を収容する紙製のギフト券収容箱に関するものである。
【背景技術】
【０００２】
従来から、商品券やギフト用品等を収容する紙製の収容箱に関する考案は知られている（特許文献１）。この特許文献１に記載の考案は、ケース本体と、このケース本体内に嵌め込んで商品券やギフト用品等を収納する中箱と、ケース本体の前後方向略中央部に巻き付ける帯体とから構成されており、紙製であることから安価に製造することができるものであった。
【０００３】
また、ギフト商品が収納される包装箱と、商品券等のシート状部材と、商品券等のシート状部材を包装箱に保持するための保持手段とを設けて、この保持手段により商品券等のシート状部材を包装箱に保持するようにしたギフト商品包装体の考案も知られている（特許文献２）。
【先行技術文献】
【特許文献】
【０００４】
【特許文献１】実開平１−１４７９１７号公報
【特許文献２】特開２００７−３０９１９号公報
【考案の概要】
【考案が解決しようとする課題】
【０００５】
しかしながら、特許文献１に記載の商品券等の収容箱や、特許文献２に記載のギフト商品包装体は、視覚的効果に欠けており、誕生日や記念日に贈るギフト券を収容する箱としの華やかさが必要とされていた。また、ギフト券の送り主からのメッセージを目立つ形で表示することができれば、受取人の印象に残りやすくなるものと考えられる。
【０００６】
本考案は、上記従来の考案が有する課題を解決するためになされたものであり、安価に製造することが可能であると共に、装飾体に立体的な動きを伴わせることによって、視覚的効果を高めることができ、送り主からのメッセージを目立つ形で表示することが可能なギフト券収容箱を提供することを目的とする。
【課題を解決するための手段】
【０００７】
請求項１のギフト券収容箱の考案では、外蓋部と、中蓋部と、ギフト券収容部とが一体的に形成された紙製のギフト券収容箱において、前記外蓋部と前記中蓋部との間を架け渡すように、立体装飾部が形成されており、該立体装飾部は、折り曲げ片と、該折り曲げ片に固定される装飾体とから構成され、前記折り曲げ片と前記装飾体は、前記外蓋の開閉の動きに連動して動くことを特徴としている。
【０００８】
したがって、外蓋を開閉することによって、折り曲げ片と装飾体が動き、視覚的効果を高めることができると共に、商品価値を高めることができる。また、紙製であって、外蓋部と、中蓋部と、ギフト券収容部とが一体的に形成されていることから、ギフト券収容箱を安価に製造することができる。
【０００９】
また、請求項２の考案では、請求項１の考案において、外蓋は表面と裏面とが張り合わされて形成され、前記外蓋の裏面の縁辺を折り曲げ可能としつつ、該縁辺から中蓋が連続して一体的に形成されている構造であって、前記外蓋の裏面から前記中蓋にわたって、所定の間隔をあけて少なくとも２本の切り込みが形成されており、該２本の切り込みの両端部と中間部とが幅方向に折り曲げられることによって、立体装飾部の折り曲げ片となっていることを特徴としている。したがって、折り曲げ片の両端部を接着剤等によって外蓋と中蓋との間に固定する必要がなく、組み立てが容易であり、製造コストを低減することができる。
【００１０】
また、請求項３の考案では、請求項２の考案において、立体装飾部の折り曲げ片は、２本の切り込みの両端部が幅方向に折り曲げられることによって形成される折り曲げ線が、縁辺に対して平行でない線となるように折り曲げられていることを特徴としている。これにより、外蓋を開ける動作に連動して、折り曲げ片に固定されている装飾体が、左右方向に動くように視認させることが可能となり、視覚的効果を一層高めることによって、商品価値を高めることができる。
【００１１】
また、請求項４の考案では、請求項１〜３のいずれかの考案において、立体装飾部は、複数の折り曲げ片と、複数の装飾体とを有することを特徴としている。したがって、視覚的効果を一層高めることによって、商品価値を高めることができる。
【００１２】
また、請求項５の考案では、請求項１〜４のいずれかの考案において、立体装飾部を構成する装飾体は、送り主からのメッセージが記載可能なメッセージボードを兼ねていることを特徴としている。したがって、ギフト券の送り主からのメッセージを目立つ形で表示することができ、受取人の印象に残りやすくすることができ、商品価値を高めることができる。
【００１３】
また、請求項６の考案では、請求項１〜５のいずれかの考案において、ギフト券収容部は、底面と、該底面の端縁から立設された４個の側面とを有し、前記底面の上部に、ギフト券収容箱の前方側面側が低く、後方側面側が高くなる傾斜面を有する傾斜底面部が形成されており、該傾斜底面部にギフト券が載置されることを特徴としている。したがって、ギフト券を見栄え良く載置することができ、商品価値を高めることができる。
【考案の効果】
【００１４】
請求項１の考案は、ギフト券収容箱を安価に製造することができ、視覚的効果を高めることができると共に、商品価値を高めることができる。また、請求項２の考案は、製造コストを低減させることができる。さらに、請求項３〜６の考案は、ギフト券収容箱の商品価値を一層高めることができる。
【図面の簡単な説明】
【００１５】
【図１】本考案に係るギフト券収容箱の外観を示す斜視図である。
【図２】本考案に係るギフト券収容箱を右側面方向から見た図である。
【図３】本考案に係るギフト券収容箱の外蓋を閉じた状態を示す斜視図である。
【図４】本考案に係るギフト券収容箱の中蓋を開けた状態を示す斜視図である。
【図５】本考案に係るギフト券収容箱の中蓋を開けてギフト券を載置した状態を示す斜視図である。
【図６】装飾体を取り外した状態の本考案に係るギフト券収容箱を示す斜視図である。
【図７】装飾体を印刷したシートを示す平面図である。
【考案を実施するための形態】
【００１６】
次に、本考案の実施形態を図面に基づいて説明する。図１は、本考案に係るギフト券収容箱の外観を示す斜視図であり、図２は、本考案に係るギフト券収容箱を右側面方向から見た図である。また、図３は、本考案に係るギフト券収容箱の外蓋を閉じた状態を示す斜視図である。先ず、これらの図を用いて本考案に係るギフト券収容箱の概要を説明する。
【００１７】
本考案に係るギフト券収容箱１０は、厚紙等の紙製であって、外蓋部１と、中蓋部２と、ギフト券収容部３とが一体的に形成されている。したがって、組み立てが容易であり、木製やプラスチック製と比較した場合に、非常に安価に製造することができる。また、外蓋部１を構成する外蓋１ａの裏面１１ａには、装飾的な図柄が印刷されている。また、外蓋１ａの表面１１ｂには、「ｇｉｆｔ  ｃａｒｄ」の文字と、装飾的な図柄が印刷されている。
【００１８】
また、外蓋１ａは表面１１ｂと裏面１１ａとが両面テープや接着剤等によって、張り合わされて形成され、外蓋１ａの裏面１１ａの縁辺５を折り曲げ可能としつつ、縁辺５から中蓋部２を構成する中蓋２ａが連続して一体的に形成されている構造となっている。尚、符号１ｂは、外蓋１ａの裏面１１ａ側の一部に切り込みを入れることによって形成された差し込み片であり、この差し込み片１ｂと対応する位置のギフト券収容部３には、切欠き３ｆが形成されている。そして、切欠き３ｆに差し込み片１ｂが差し込まれることによって、外蓋１ａが閉じた状態となる構成としている。
【００１９】
また、外蓋部１と中蓋部２との間を架け渡すように、立体装飾部４が形成されており、立体装飾部４は、折り曲げ片４ａ〜４ｃと、折り曲げ片４ａ〜４ｃに固定される装飾体４ｅ〜４ｇとから構成され、折り曲げ片４ａ〜４ｃと装飾体４ｅ〜４ｇは、外蓋１ａの開閉の動きに連動して動く構造となっている。したがって、外蓋１ａを開閉することによって、折り曲げ片４ａ〜４ｃと装飾体４ｅ〜４ｇが動き、視覚的効果を高めることができる。
【００２０】
前述したように、外蓋部１と、中蓋部２と、ギフト券収容部３とが一体的に形成されている。具体的には、外蓋１ａの裏面１１ａの一方の縁辺５を折り曲げ可能としつつ、縁辺５から中蓋部２を構成する中蓋２ａが連続して一体的に形成されており、外蓋１ａの裏面１１ａの他方の縁辺６を折り曲げて形成し、縁辺６から外蓋１ａの表面１１ｂが連続して一体的に形成されている。さらに、外蓋１ａの表面１１ｂの縁辺７を折り曲げ可能としつつ、縁辺７からギフト券収容部３を構成する側面３ｂが連続して一体的に形成されている。
【００２１】
図４は、本考案に係るギフト券収容箱の中蓋を開けた状態を示す斜視図であり、図５は、本考案に係るギフト券収容箱の中蓋を開けてギフト券を載置した状態を示す斜視図である。これらの図に示すように、中蓋２ａを開けた状態で、商品券１７等のギフト券をギフト券収容部３に載置することができる。ここで、中蓋２ａの長手方向の両端部には、差し込み片２ｂ、２ｃが形成されている。この差し込み片２ｂ、２ｃに対応する位置のギフト券収容部３側には、切欠き９ａ、９ｂが形成されており、この切欠き９ａ、９ｂに差し込み片２ｂ、２ｃが差し込まれることによって、中蓋２ａが閉じた状態となる構成としている。
【００２２】
ギフト券収容部３は、底面３ａ（図２参照）と、底面３ａの端縁から立設された４個の側面３ｂ、３ｃ、３ｄ、３ｅとを有し、底面３ａの上部に、ギフト券収容箱１０の前方側面３ｂ側が低く、後方側面３ｅ側が高くなる傾斜面を有する傾斜底面部１６が形成されており、傾斜底面部１６に商品券１７等のギフト券が載置される。したがって、傾斜底面部１６により、ギフト券を見栄え良く載置することができ、ギフト券収容箱１０の商品価値を高めることができる。尚、図５に示すように、商品券１７等のギフト券を直接、傾斜底面部１６に載置することもできるが、商品券１７等のギフト券を封筒等の専用の袋に入れた状態で、該袋を傾斜底面部１６に載置するようにしてもよい。
【００２３】
図６は、装飾体を取り外した状態の本考案に係るギフト券収容箱を示す斜視図である。折り曲げ片４ａ〜４ｃは、外蓋１ａの裏面１１ａから中蓋２ａにわたって、所定の間隔をあけて２本の切り込みが形成されており、この２本の切り込みの両方の端部１３ａ、１３ｃと中間部１３ｂとが幅方向に折り曲げられることによって形成される。
【００２４】
ここで、折り曲げ片４ａ〜４ｃの中間部１３ｂの折り曲げ線は、縁辺５に対して平行となるように折り曲げられているが、折り曲げ片４ａ、４ｃの両方の端部１３ａ、１３ｃの折り曲げ線は、縁辺５に対して平行となっていない。具体的には、折り曲げ片４ａ、４ｃの両方の端部１３ａ、１３ｃの折り曲げ線は、折り曲げ片４ｂに近い側が縁辺５に近づくように傾斜させている。一方、縁辺５の長手方向の略中央付近に位置する折り曲げ片４ｂは、中間部１３ｂの折り曲げ線及び、両方の端部１３ａ、１３ｃの折り曲げ線を、縁辺５に対して平行となるように折り曲げられている。
【００２５】
折り曲げ片４ａ、４ｃを前述のように構成することによって、折り曲げ片４ａ、４ｃに装飾体が固定された状態で、外蓋１ａが閉じられている場合には、折り曲げ片４ａ、４ｃに固定されている装飾体が、折り曲げ片４ｂに近づいた状態となっている。そして、外蓋１ａを開ける動作に連動して、折り曲げ片４ａ、４ｃに固定されている装飾体が、折り曲げ片４ｂから離れる方向に動くように見えることとなる。言い換えれば、折り曲げ片４ａ、４ｃに固定されている装飾体が、左右方向に動くように視認されることとなる。これにより、視覚的効果を一層高めることができる。
【００２６】
図７は、装飾体を印刷したシートを示す平面図である。シート１４には、装飾体４ｅ〜４ｇが印刷されており、各々の装飾体の外縁にはミシン目が形成された切取り部１５を備えている。したがって、本考案に係るギフト券収容箱の製作時には、シート１４から装飾体４ｅ〜４ｇを取り出し、裏面に両面テープを貼って、各々の折り曲げ片４ａ〜４ｃに固定すればよいので、短時間でギフト券収容箱を組み立てることができる。
【００２７】
尚、装飾体４ｅ、４ｆには、花束の図柄が印刷されているが、これに限定されるものではなく、受取人に対応させて様々な図柄を印刷することができる。例えば、受取人が子供である場合には、パンダやハト等の動物の図柄を印刷することができる。また、装飾体４ｇには、「Ｔｈａｎｋ  ｙｏｕ」の文字が印刷されているが、これに限定されるものではなく、受取人に対応させて様々な文字を印刷することができる。例えば、受取人の学校への入学を祝う場合には、「入学おめでとう」の文字を印刷することができる。また、空白にして、送り主が直接メッセージを書き込むメッセージボードとすることもできる。
【産業上の利用可能性】
【００２８】
本考案のギフト券収容箱は、デパート等の商品券やビール券、図書券、米券等のギフト券を収容する収容箱として使用される。
【符号の説明】
【００２９】
１  外蓋部
１ａ  外蓋
１ｂ、２ｂ、２ｃ  差し込み片
２  中蓋部
２ａ  中蓋
３  ギフト券収容部
３ａ  底面
３ｂ、３ｃ、３ｄ、３ｅ  側面
３ｆ、９ａ、９ｂ  切欠き
４  立体装飾部
４ａ〜４ｃ  折り曲げ片
４ｅ〜４ｇ  装飾体
５、６、７  縁辺
１０  ギフト券収容箱
１１ａ  裏面
１１ｂ  表面
１３ａ、１３ｃ  端部
１３ｂ  中間部
１４  シート
１５  切取り部
１６  傾斜底面部
１７  商品券
【図１】
0003201685.tif 000003
【図２】
0003201685.tif 000004
【図３】
0003201685.tif 000005
【図４】
0003201685.tif 000006
【図５】
0003201685.tif 000007
【図６】
0003201685.tif 000008
【図７】
0003201685.tif 000009